(57)【要約】      （修正有）【課題】フリッカを抑えつつ、かつ、ＬＥＤの劣化を抑制することが可能とした監視カメラ装置を提供する。【解決手段】所定のエリアを撮像する光学系及び撮像センサを備え、カメラのシャッタスピードを制御するシャッタ制御手段と、カメラの撮像エリアを照らすための、光素子を備えた照明手段と、照明手段の照度を制御する照度制御手段と、を備える。照度制御手段は、光素子の点灯間隔を制御するＰＷＭ制御と、光素子に流れる電流値を制御するアナログ制御と、のいずれか少なくとも一つで制御することが可能であって、シャッタ制御手段のシャッタスピード設定に応じて、ＰＷＭ制御と、アナログ制御と、の制御方法を切り替える。【選択図】図１
2016201716.tif 000002
【特許請求の範囲】
【請求項１】
所定のエリアを撮像する光学系及び撮像センサを備え、
前記カメラのシャッタスピードを制御するシャッタ制御手段と、
前記カメラの撮像エリアを照らすための、光素子を備えた照明手段と、
前記照明手段の照度を制御する照度制御手段と、
を備え、
前記照度制御手段は、
前記光素子の点灯間隔を制御するＰＷＭ制御と、
前記光素子に流れる電流値を制御するアナログ制御と、
のいずれか少なくとも一つで制御することが可能であって、
前記シャッタ制御手段のシャッタスピード設定に応じて、
ＰＷＭ制御と、アナログ制御と、の制御方法を切り替える、
ことを特徴とする監視カメラ装置。
【請求項２】
前記照度制御手段は、
前記光素子の点灯間隔を制御するＰＷＭ制御と、
前記光素子に流れる電流値を制御するアナログ制御と、
のいずれか少なくとも一つで制御することが可能であって、
前記シャッタ制御手段のシャッタスピード設定と、
自身とは別の監視カメラ装置のシャッタスピード設定に応じて、
ＰＷＭ制御と、アナログ制御と、の制御方法を切り替える、
ことを特徴とする請求項１に記載の監視カメラ装置。
【発明の詳細な説明】
【技術分野】
【０００１】
本発明は、監視カメラ装置に関し、特に、ＬＥＤ照明を備える監視カメラ装置に関する。
【背景技術】
【０００２】
近年、ＬＥＤ素子を用いた照明装置が増加している。監視カメラにおいても、暗視用途として、赤外波長の光を照射するＬＥＤを搭載した照明装置（赤外照明装置）が普及しつつある。赤外照明装置には、ＬＥＤの光強度を調整する調光機能が備えられている。被写体が近づくと、光強度を弱くして、被写体の白飛びを防ぐといった具合に使用される。
【０００３】
ＬＥＤの調光方法としては、ＰＷＭ調光が用いられることが多い。ＰＷＭ調光とは、ＬＥＤに流れる電流値は変更せずに、点灯デューティを変更する調光方法である。例えば、図２に示すように、被写体が近づいたことが検出された場合、点灯デューティを、１００％から５０％に変更する。ＬＥＤに流れる電流平均値が１／２となるため、光強度も略１／２となる。
【０００４】
しかしながら、ＰＷＭ調光では点灯／消灯が周期的であるため、ＰＷＭ周波数とシャッタスピードの関係によっては、映像にフリッカが発生することがあった。
【０００５】
そこで、特許文献１には、ＬＥＤのＰＷＭ周波数とシャッタスピードを整数倍の関係とし、フリッカを抑える技術が開示されている。
【先行技術文献】
【特許文献】
【０００６】
【特許文献１】特開２０１２−１３８７８４号公報
【発明の概要】
【発明が解決しようとする課題】
【０００７】
しかしながら、シャッタスピードは、ＡＥ制御結果に応じて、様々な値に設定されるため、ＬＥＤのＰＷＭ周波数とシャッタスピードを常に整数倍の関係とするためには、ＬＥＤのＰＷＭ周波数を可変できる構成が必要となる。結果として、回路規模の増大、ひいてはコストアップを招くという課題がある。
【０００８】
一方で、点灯デューティは変更せず、ＬＥＤに流れる電流値を変更するアナログ調光であれば、原理的にフリッカは発生しないのだが、アナログ調光は、常に点灯状態（点灯デューティ＝１００％）であるため、点灯と消灯を繰り返すＰＷＭ調光に比べて、ＬＥＤの劣化が速く進むという課題があった。
【０００９】
そこで、本発明の目的は、フリッカを抑えつつ、かつ、ＬＥＤの劣化を抑制することが可能とした監視カメラ装置を提供することにある。
【課題を解決するための手段】
【００１０】
上記の目的を達成するために、本発明の監視カメラ装置は、
所定のエリアを撮像する光学系及び撮像センサを備え、
前記カメラのシャッタスピードを制御するシャッタ制御手段と、
前記カメラの撮像エリアを照らすための、光素子を備えた照明手段と、
前記照明手段の照度を制御する照度制御手段と、
を備え、
前記照度制御手段は、
前記光素子の点灯間隔を制御するＰＷＭ制御と、
前記光素子に流れる電流値を制御するアナログ制御と、
のいずれか少なくとも一つで制御することが可能であって、
前記シャッタ制御手段のシャッタスピード設定に応じて、
ＰＷＭ制御と、アナログ制御と、の制御方法を切り替える、
ことを特徴とする。
【発明の効果】
【００１１】
本発明によれば、フリッカを抑えつつ、かつ、ＬＥＤの劣化を抑制した監視カメラ装置を提供することが可能となる。
【図面の簡単な説明】
【００１２】
【図１】本発明の実施形態にかかわる代表的な構成を示す図である。
【図２】ＰＷＭ制御の例を示した図である。
【図３】駆動基板２０３を示す図である。
【図４】照明装置を備えた監視カメラの代表的な構成を示す図である。
【発明を実施するための形態】
【００１３】
以下に、本発明の好ましい実施の形態を、添付の図面に基づいて詳細に説明する。図４に、照明装置を備えた監視カメラの代表的な構成を示す。
【００１４】
照明装置を備えた監視カメラは、照明装置２０１と、イメージセンサを備えたレンズユニット２０２と、照明装置２０１およびレンズユニット２０２を制御するための駆動基板２０３と、これらを収納する外装カバー２０４と、不図示の周辺機器（記録装置等）と接続するための通信ケーブル２０５、で構成される。照明装置２０１からの照明光は、図４に示すように、レンズユニット２０２の光軸方向に出射される。
【００１５】
続いて、図３を使用し、駆動基板２０３に関して、本発明の実施形態に沿って説明する。
【００１６】
駆動基板２０３は、照明装置２０１を制御する、ドライバＩＣに代表される照明制御手段２１１と、レンズユニット２０２のシャッタスピードを制御する、電子シャッタに代表されるシャッタ制御手段２１２と、照度制御手段２１１とシャッタ制御手段２１２を制御するＣＰＵ２１０から構成される。
【００１７】
ＣＰＵ２１０は、照明制御手段２１１に対し、調光方法（ＰＷＭ調光あるいはアナログ調光）を設定する。また、照明装置２０１が出力可能な最大照度を１００％として、０％〜１００％の間で、照度を設定する。照明制御手段２１１は、設定された調光方法および照度にて、照明装置２０１を駆動する。
【００１８】
また、ＣＰＵ２１０は、シャッタ制御手段２１２に対し、シャッタスピード設定を指示する。シャッタ制御手段２１２は、指示されたシャッタスピード設定にて、レンズユニット２０２を駆動する。
【００１９】
続いて、本発明の実施形態におけるＣＰＵ２１０の動作フローを図１に従って説明する。
【００２０】
露出制御が開始されると（３００）、ＣＰＵ２１０は、イメージセンサから得られた画像データから露出値を算出する（３０１）。
【００２１】
続いて、ＣＰＵ２１０は、算出した露出値をもとに、理想とする露出値との差分を補正するために、イメージセンサの感度設定、及び、レンズユニット２０２の絞り設定、及び、シャッタスピード設定に対する補正パラメータを算出する（３０２）。
【００２２】
続いて、ＣＰＵ２１０は、シャッタスピード設定が１／１０００以上であるかどうかを判定する（３０３）。
【００２３】
ここで、１／１０００という数値は、ＰＷＭ調光時にフリッカが発生するかどうかを鑑みて設定された数値でありこの数値に限定されるものではない。従って、ＣＰＵ２１０は、シャッタスピード設定が１／１０００以上であれば、フリッカを防ぐために、照明制御手段２１１に対し、アナログ調光を実施するよう設定する（３０４）。また、シャッタスピード設定が１／１０００未満であれば、フリッカが発生しないため、照明制御手段２１１に対し、ＬＥＤの劣化が少ないＰＷＭ調光を実施するよう設定する（３０５）。
【００２４】
調光方法の設定が終了した後、ＣＰＵ２１０は、補正パラメータを設定し（３０６）、ＡＥを終了する（３０７）。
【００２５】
以上のような実施形態をとることにより、フリッカを抑えつつ、かつ、ＬＥＤの劣化を抑制する監視カメラ装置を提供することが可能となる。
【００２６】
さらに、複数の監視カメラ装置で同一エリアを監視している場合は、好ましくは、自身と、自身以外の監視カメラ装置のシャッタスピード設定を考慮して、ＰＷＭ制御と、アナログ制御と、の制御方法を切り替える構成をとることが望ましい。
【００２７】
以上、本発明の好ましい実施形態について説明したが、本発明はこれらの実施形態に限定されず、その要旨の範囲内で種々の変形及び変更が可能である。
【符号の説明】
【００２８】
２０３  駆動基板、２１０  ＣＰＵ、２１１  照明制御手段、２１２  シャッタ制御手段
【図２】
2016201716.tif 000003
【図１】
2016201716.tif 000004
【図３】
2016201716.tif 000005
【図４】
2016201716.tif 000006